(57)【特許請求の範囲】
【請求項１】
例文テキストを複数記憶する例文テキスト記憶手段と、
前記例文テキスト記憶手段に記憶された各例文テキストを音声付例文として音声データを対応づけて記憶する例文音声記憶手段と、
ユーザ操作によって指定された単語の音声データを音声出力させる単語音声出力手段と、
前記単語音声出力手段によって音声出力された単語を登録する単語登録手段と、
前記単語登録手段に登録された単語で構成された音声付例文を前記例文音声記憶手段から抽出して、抽出された音声付例文を登録する音声付例文登録手段と、
前記音声付例文登録手段によって登録された音声付例文のうちの少なくとも一部を表示するとともに、表示された音声付例文の中で、前記単語登録手段に登録された単語の中で選択された単語の変化形を含む例文、音声出力する場合に音がつながる単語を含む例文、並びに例文を音声出力する場合に音が消える単語を含む例文のうちの少なくとも１つを識別させる表示を行う表示手段と、
前記音声付例文登録手段によって登録された音声付例文のうちの何れかの音声データを前記例文音声記憶手段から読み出して音声出力する例文音声出力手段と、
を備える音声学習装置。
【請求項２】
前記単語登録手段には、予め登録された単語が存在する、請求項１に記載の音声学習装置。
【請求項３】
単語の音声データと、複数の単語で構成された例文テキストと、前記例文テキストに音声データが対応付けられた音声付例文とを格納した外部サーバと、必要なデータの授受を行うことによって、音声データを出力する音声学習装置であって、
ユーザ操作によって指定された単語の音声データを、前記外部サーバから取得して、音声出力させる単語音声出力手段と、
前記単語音声出力手段によって音声出力された単語を、前記外部サーバへ登録する単語登録手段と、
前記外部サーバに登録された単語で構成された音声付例文を、前記外部サーバから抽出して、抽出された音声付例文を、前記外部サーバへ登録する音声付例文登録手段と、
前記音声付例文登録手段によって登録された音声付例文のうちの少なくとも一部を表示するとともに、表示された音声付例文の中で、前記単語登録手段に登録された単語の中で選択された単語の変化形を含む例文、音声出力する場合に音がつながる単語を含む例文、並びに例文を音声出力する場合に音が消える単語を含む例文のうちの少なくとも１つを識別させる表示を行う表示手段と、
前記外部サーバに登録された音声付例文のうちの何れかの音声データを、前記外部サーバから読み出して音声出力する例文音声出力手段と、
を備える音声学習装置。
【請求項４】
電子機器のコンピュータを制御するためのプログラムであって、
前記コンピュータを、
例文テキストを複数記憶する例文テキスト記憶手段と、
前記例文テキスト記憶手段に記憶された各例文テキストを音声付例文として音声データを対応づけて記憶する例文音声記憶手段と、
ユーザ操作によって指定された単語の音声データを音声出力させる単語音声出力手段と、
前記単語音声出力手段によって音声出力された単語を登録する単語登録手段と、
前記単語登録手段に登録された単語で構成された音声付例文を前記例文音声記憶手段から抽出して、抽出された音声付例文を登録する音声付例文登録手段と、
前記音声付例文登録手段によって登録された音声付例文のうちの少なくとも一部を表示するとともに、表示された音声付例文の中で、前記単語登録手段に登録された単語の中で選択された単語の変化形を含む例文、音声出力する場合に音がつながる単語を含む例文、並びに例文を音声出力する場合に音が消える単語を含む例文のうちの少なくとも１つを識別させる表示を行う表示手段と、
前記音声付例文登録手段によって登録された音声付例文のうちの何れかの音声データを前記例文音声記憶手段から読み出して音声出力する例文音声出力手段と、
として機能させるためのプログラム。
【請求項５】
単語の音声データと、複数の単語で構成された例文テキストと、前記例文テキストに音声データが対応付けられた音声付例文とを格納した外部サーバと、必要なデータの授受を行うことによって、音声データを出力する電子機器のコンピュータを制御するためのプログラムであって、
前記コンピュータを、
ユーザ操作によって指定された単語の音声データを、前記外部サーバから取得して、音声出力させる単語音声出力手段と、
前記単語音声出力手段によって音声出力された単語を、前記外部サーバへ登録する単語登録手段と、
前記外部サーバに登録された単語で構成された音声付例文を、前記外部サーバから抽出して、抽出された音声付例文を、前記外部サーバへ登録する音声付例文登録手段と、
前記音声付例文登録手段によって登録された音声付例文のうちの少なくとも一部を表示するとともに、表示された音声付例文の中で、前記単語登録手段に登録された単語の中で選択された単語の変化形を含む例文、音声出力する場合に音がつながる単語を含む例文、並びに例文を音声出力する場合に音が消える単語を含む例文のうちの少なくとも１つを識別させる表示を行う表示手段と、
前記外部サーバに登録された音声付例文のうちの何れかの音声データを、前記外部サーバから読み出して音声出力する例文音声出力手段と、
として機能させるためのプログラム。
【発明の詳細な説明】
【技術分野】
【０００１】
本発明は、音声学習装置およびその制御プログラムに関し、さらに詳しくは、ユーザが効率的に音声学習するための機能を備えた音声学習装置およびその制御プログラムに関する。
【背景技術】
【０００２】
最近の電子辞書の中には、例えば、特許文献１のように、特定の例文の音声を出力する機能を備えているものや、特許文献２のように、例文中の単語を検索して、当該例文の音声出力と訳の表示とを行って単語音声の学習に供する機能を備えているものがあり、単なる辞書としてのみならず、音声学習装置としての利用がなされているものもある。
【先行技術文献】
【特許文献】
【０００３】
【特許文献１】特開２０１３−３７２５１号公報
【特許文献２】特開２００６−２６８５０１号公報
【発明の概要】
【発明が解決しようとする課題】
【０００４】
しかしながら、このような従来の音声学習装置では、以下のような問題がある。
【０００５】
すなわち、前述したように、従来の音声学習装置は、単語の音声を出力することも、当該単語を含む例文の音声を出力することもできる。しかしながら、単語の音声と、その単語を含む例文の音声とを連携して提供することはできない。
【０００６】
そのため、ユーザは、従来の音声学習装置から音声出力される例文に含まれる単語の音声学習をする場合、その例文に含まれる個々の単語毎に、音声を出力するように、音声学習装置を操作する必要がある。
【０００７】
したがって、ユーザが、新しい単語の音声と、その単語を含む例文の音声との両方を学習したいと思っても、従来の音声学習装置では、単語の音声と、その単語を含む例文の音声との連携機能を有していないので、ユーザは、その例文に含まれる個々の単語毎に、音声を出力するように、音声学習装置を操作しなければならないという煩わしさのために、効率良く学習することができないという問題がある。
【０００８】
本発明はこのような事情に鑑みてなされたものであり、単語の音声と、その単語を含む例文の音声とを連携して提供することができ、もって、ユーザが効率的に音声学習できるようになる機能を提供することを可能にする音声学習装置およびその制御プログラムを提供することを目的とする。
【課題を解決するための手段】
【０００９】
本発明に係る音声学習装置は、例文テキストを複数記憶する例文テキスト記憶手段と、前記例文テキスト記憶手段に記憶された各例文テキストを音声付例文として音声データを対応づけて記憶する例文音声記憶手段と、ユーザ操作によって指定された単語の音声データを音声出力させる単語音声出力手段と、前記単語音声出力手段によって音声出力された単語を登録する単語登録手段と、前記単語登録手段に登録された単語で構成された音声付例文を前記例文音声記憶手段から抽出して、抽出された音声付例文を登録する音声付例文登録手段と、前記音声付例文登録手段によって登録された音声付例文のうちの少なくとも一部を表示するとともに、表示された音声付例文の中で、前記単語登録手段に登録された単語の中で選択された単語の変化形を含む例文、音声出力する場合に音がつながる単語を含む例文、並びに例文を音声出力する場合に音が消える単語を含む例文のうちの少なくとも１つを識別させる表示を行う表示手段と、前記音声付例文登録手段によって登録された音声付例文のうちの何れかの音声データを前記例文音声記憶手段から読み出して音声出力する例文音声出力手段と、を備える。
【発明の効果】
【００１０】
本発明によれば、単語の音声と、その単語を含む例文の音声とを連携して提供することができ、もって、ユーザが効率的に音声学習できるようになる機能を提供することが可能な音声学習装置およびその制御プログラムを実現することができる。
【図面の簡単な説明】
【００１１】
【図１】本発明の第１の実施形態に係る音声学習装置１０の電子回路の構成を示すブロック図。
【図２】本発明の第１の実施形態に係る音声学習装置１０を電子辞書装置１０Ｄにより実施した場合の外観構成を示す正面図。
【図３】本発明の第１の実施形態に係る音声学習装置１０をタブレット端末１０Ｔにより実施した場合の外観構成を示す正面図。
【図４】本発明の第１の実施形態に係る音声学習装置１０の処理（その１）を示すフローチャート。
【図５】本発明の第１の実施形態に係る音声学習装置１０の処理（その２）を示すフローチャート。
【図６】本発明の第１の実施形態に係る音声学習装置１０の処理（その３）を示すフローチャート。
【図７】本発明の第１の実施形態に係る音声学習装置１０の処理（その４）を示すフローチャート。
【図８】本発明の第１の実施形態に係る音声学習装置１０の処理（その５）を示すフローチャート。
【図９】本発明の第１の実施形態に係る音声学習装置１０の表示画面の例（その１）を示す図。
【図１０】本発明の第１の実施形態に係る音声学習装置１０の表示画面の例（その２）を示す図。
【図１１】本発明の第１の実施形態に係る音声学習装置１０の表示画面の例（その３）を示す図。
【図１２】本発明の第１の実施形態に係る音声学習装置１０の表示画面の例（その４）を示す図。
【図１３】本発明の第１の実施形態に係る音声学習装置１０の表示画面の例（その５）を示す図。
【図１４】本発明の第１の実施形態に係る音声学習装置１０の表示画面の例（その６）を示す図。
【図１５】本発明の第２の実施形態に係る音声学習装置１０の構成例を示す概念図。
【発明を実施するための形態】
【００１２】
以下、図面により本発明の各実施形態について説明する。
（第１の実施の形態）
本発明の第１の実施形態に係る音声学習装置について説明する。
【００１３】
図１は、本発明の第１の実施形態に係る音声学習装置１０の電子回路の構成を示すブロック図である。
【００１４】
この音声学習装置１０は、特に外国語の音声学習に好適な装置であって、互いに通信バス１９を介して接続されたＣＰＵ１１、メモリ１２、記録媒体読取部１４、キー入力部１５、メイン画面１６、サブ画面１７、スピーカ１８ａ、およびマイク１８ｂ等を備えてなる。
【００１５】
ＣＰＵ１１は、メモリ１２内に予め記憶された音声学習処理制御プログラム１２ａ、あるいはＲＯＭカードなどの外部の記録媒体１３から記録媒体読取部１４を介してメモリ１２に読み込まれた音声学習処理制御プログラム１２ａ、あるいはインターネット上のＷｅｂサーバ（この場合はプログラムサーバ）からダウンロードされてメモリ１２に読み込まれた音声学習処理制御プログラム１２ａに応じて、音声学習装置１０の動作を制御する。
【００１６】
音声学習処理制御プログラム１２ａはまた、音声学習装置１０に外部接続されたインターネット上の各Ｗｅｂサーバ、ユーザＰＣ（Personal Computer）等とデータ通信するための通信プログラム等をも含んでいる。そして、キー入力部１５からのユーザ操作に応じた入力信号、タッチパネル式カラー表示機能を有するメイン画面１６やサブ画面１７からのユーザ操作に応じた入力信号、あるいは外部接続されるインターネット上のＷｅｂサーバとの通信信号、あるいは記録媒体読取部１４を介して外部接続されるＥＥＰＲＯＭ，ＲＡＭ，ＲＯＭ等の記録媒体１３との接続通信信号に応じて起動される。
【００１７】
メモリ１２はさらに、辞書データベース１２ｂ、例文テキスト記憶エリア１２ｃ、例文音声記憶エリア１２ｄ、単語登録エリア１２ｅ、音声付例文登録エリア１２ｆ、およびユーザ音声登録エリア１２ｇを備えている。
【００１８】
辞書データベース１２ｂには、例えば英語や中国語のように、学習対象とする外国語の辞書（英和辞書、和英辞書、英英辞書、中日辞書、日中辞典、中国語会話集、中中辞典等）や会話集が記憶されている。辞書は、品詞、語源、スペル、活用形、発音記号、類似語、単語音声データ、意味、用法、例文、例文音声データ等といった一般的な辞書情報を単語毎に格納している。会話集は、旅行、ビジネス、生活、料理などのシチュエーション毎に例文、意味、読み等の情報を格納している。なお、辞書や会話集は、単数に限られるものではなく、辞書データベース１２ｂは、例えば、複数の英和辞書のように、同じ種類の辞書を複数記憶しても良い。
【００１９】
例文テキスト記憶エリア１２ｃは、音声学習処理制御プログラム１２ａによる制御にしたがい、辞書データベース１２ｂに記憶されている辞書や会話集から、例文テキストを抽出し、出典元の名称（例えば、ジーニア○英和大辞典、ビジネ○英会話集、等）とともに記憶するための記憶エリアである。
【００２０】
例文音声記憶エリア１２ｄは、音声学習処理制御プログラム１２ａによる制御にしたがい、例文テキスト記憶エリア１２ｃに記憶された各例文テキストを音声付例文として音声データを対応付けて記憶するための記憶エリアである。
【００２１】
単語登録エリア１２ｅは、音声学習処理制御プログラム１２ａによる制御にしたがい、スピーカ１８ａから音声出力された単語を登録するための登録エリアである。なお、単語登録エリア１２ｅには、予め登録された単語も存在する。予め登録される単語は、練習するまでもない基礎的な単語であって、例えば、英語であれば、“Ｉ”、“ｔｏ”、“ｔｈｅ”等が相当する。
【００２２】
音声付例文登録エリア１２ｆは、音声学習処理制御プログラム１２ａによる制御にしたがい、単語登録エリア１２ｅに登録された単語で構成された音声付例文を例文音声記憶エリア１２ｄから抽出して、抽出された音声付例文を登録するための登録エリアである。音声付例文登録エリア１２ｆによって登録された音声付例文のうちの何れかの音声データは、ユーザ操作にしたがう音声学習処理制御プログラム１２ａによる制御により、例文音声記憶エリア１２ｄから読み出され、スピーカ１８ａから音声出力される。
【００２３】
ユーザ音声登録エリア１２ｇは、マイク１８ｂによって得られた、ユーザによって発声された音声データを、記憶するための記憶エリアである。
【００２４】
例文テキスト記憶エリア１２ｃ、例文音声記憶エリア１２ｄ、単語登録エリア１２ｅ、および音声付例文登録エリア１２ｆは、言語毎に備えることが望ましい。
【００２５】
本発明の第１の実施形態に係る音声学習装置１０に適用される音声学習処理制御プログラム１２ａは、従来の電子辞書や音声学習装置によってなされる動作に加えて、特に、これら辞書データベース１２ｂ、例文テキスト記憶エリア１２ｃ、例文音声記憶エリア１２ｄ、単語登録エリア１２ｅ、および音声付例文登録エリア１２ｆを用いて以下のような動作を制御する。
【００２６】
新たな例文テキストを例文テキスト記憶エリア１２ｃに記憶させる。
【００２７】
例文テキスト記憶エリア１２ｃに記憶された各例文テキストを、音声付例文として音声データを対応づけて例文音声記憶エリア１２ｄに記憶させる。
【００２８】
キー入力部１５を用いてユーザ操作によって指定された単語の音声データを、スピーカ１８ａから音声出力させる。
【００２９】
スピーカ１８ａによって音声出力された単語を単語登録エリア１２ｅに登録する。
【００３０】
単語登録エリア１２ｅに登録された単語で構成された音声付例文を、例文音声記憶エリア１２ｄから抽出し、抽出された音声付例文を音声付例文登録エリア１２ｆに登録する。
【００３１】
音声付例文登録エリア１２ｆに登録された音声付例文のうち、ユーザ操作によって指定された音声データを、例文音声記憶エリア１２ｄから読み出して、スピーカ１８ａから音声出力させる。
【００３２】
キー入力部１５を用いたユーザ操作によって指定されることによりスピーカ１８ａから音声出力された単語を、単語登録エリア１２ｅに登録する。
【００３３】
単語登録エリア１２ｅに単語が登録されることに応じて、音声付例文登録エリア１２ｆに登録された音声付例文を、メイン画面１６またはサブ画面１７から一覧表示させる。
【００３４】
単語登録エリア１２ｅに登録された単語を、メイン画面１６またはサブ画面１７から一覧表示させる。
【００３５】
メイン画面１６またはサブ画面１７に一覧表示された単語のうち、ユーザ指定によって選択された単語で構成される音声付例文を、例文音声記憶エリア１２ｄから抽出し、メイン画面１６またはサブ画面１７から一覧表示させる。
【００３６】
音声付例文がメイン画面１６またはサブ画面１７から一覧表示される場合、音声が変化する単語が存在する音声付例文に対しては、当該単語が他の単語に対して識別可能な状態で、メイン画面１６またはサブ画面１７から表示させる。
【００３７】
なお、音声学習処理制御プログラム１２ａは、これらに加えて、従来の電子辞書や音声学習装置によってなされる動作も制御するが、本明細書では、これら従来技術による動作の詳細は省略する。
【００３８】
図２は、本発明の第１の実施形態に係る音声学習装置１０を電子辞書装置１０Ｄにより実現した場合の外観構成を示す正面図である。
【００３９】
図２における電子辞書装置１０Ｄの場合、開閉される装置本体の下段側にＣＰＵ１１、メモリ１２、記録媒体読取部１４が内蔵されると共に、キー入力部１５、サブ画面１７、スピーカ１８ａ、マイク１８ｂが設けられ、上段側にメイン画面１６が設けられる。
【００４０】
キー入力部１５にはさらに、文字入力キー１５ａ、各種の辞書指定キー１５ｂ、［訳／決定］キー１５ｃ、［戻る／リスト］キー１５ｄ等が備えられる。
【００４１】
図２における電子辞書装置１０Ｄのメイン画面１６は、ユーザによって辞書指定キー１５ｂから英和辞書（例えば、ジーニア○英和大辞典）が指定され、さらにキー入力部１５から、検索語として“ａｐｐｌｙ”が入力された場合に、辞書データベース１２ｂに記憶されている英和辞書（例えば、ジーニア○英和大辞典）データから取得された、この検索語の説明情報ｄ１（例えば、品詞、語源、スペル、活用形、発音記号、類似語、意味、用法、例文等）が表示された例を示している。
【００４２】
メイン画面１６の最左側には、縦一列に種々の機能選択アイコンＩが表示されている。図２の例では、これら機能選択アイコンＩの例として、「聞く」アイコンＩ１、「聞き比べ」アイコンＩ２、「読み上げ」アイコンＩ３、および「例文」アイコンＩ４が示されているが、さらに任意のアイコンを追加して設けることも可能になっている。これらアイコンＩ１〜Ｉ４のうちの何れかが、ユーザによって、指またはタッチペン等によりタッチされると、音声学習処理制御プログラム１２ａが動作することによって、所定の処理が実行されるようになっている。
【００４３】
図３は、本発明の第１の実施形態に係る音声学習装置１０をタブレット端末１０Ｔにより実現した場合の外観構成を示す正面図である。
【００４４】
図３におけるタブレット端末１０Ｔの場合、ＣＰＵ１１、メモリ１２、記録媒体読取部１４は端末本体に内蔵され、また、メイン画面１６に必要に応じて表示される各種のアイコンやソフトキーボードがキー入力部１５として機能することによって、図２に示す電子辞書装置１０Ｄと同等の機能を実現することができる。
【００４５】
本発明の第１の実施形態に係る音声学習装置１０は、図２に示すような電子辞書専用の携帯機器（電子辞書装置１０Ｄ）や、図３に示すような辞書機能を備えたタブレット端末１０Ｔで実現されるのに限らず、携帯電話、電子ブック、携帯ゲーム機等のいわゆる電子機器でも実現することができる。
【００４６】
次に、音声学習処理制御プログラム１２ａが動作することによってなされる種々の処理の一例を、図４乃至８に示すフローチャートと、図９乃至１４に示す表示画面例とを用いて説明する。
【００４７】
図４のフローチャートに示すように、本発明の第１の実施形態に係る音声学習装置１０を用いて辞書検索する場合（Ｓ１：Ｙｅｓ）、ユーザが、辞書指定キー１５ｂから、例えば、英和辞書（例えば、ジーニア○英和大辞典）を指定し、さらにキー入力部１５から、検索語として“ａｐｐｌｙ”を入力する（Ｓ２）。
【００４８】
すると、辞書データベース１２ｂに記憶されている、指定された辞書（例えば、ジーニア○英和大辞典）から、検索語（“ａｐｐｌｙ”）が検索され、検索語に対する説明情報ｄ１（例えば、品詞、語源、スペル、活用形、発音記号、類似語、意味、用法、例文等）がメイン画面１６から表示される（Ｓ３）。
【００４９】
さらにユーザが、この検索語の音声学習することを希望する場合（Ｓ４：Ｙｅｓ）には、ユーザは、「聞く」アイコンＩ１または「聞き比べ」アイコンＩ２を、指またはタッチペン等によってタッチする（Ｓ５またはＳ７）。一方、音声学習することを所望しない場合（Ｓ４：Ｎｏ）には、例えば、本実施形態に係る音声学習装置１０を、通常の電子辞書として用いるような他の処理（詳細は説明せず）に移行する。
【００５０】
ユーザが「聞く」アイコンＩ１をタッチした場合（Ｓ５：Ｙｅｓ）、「聞く」アイコンＩ１が明暗反転等により表示される（図示せず）ことによって、アクティブになったことが示されるとともに、指定された辞書から、検索語に対応する音声データ（「アプライ」）が抽出され、抽出された音声データが、スピーカ１８ａから出力される（Ｓ６）。これによって、ユーザは、検索語の音声データを聞くことにより、検索語の音声学習をすることができる。そして、音声データの出力が終了すると、「聞く」アイコンＩ１の明暗反転等が元に戻り、非アクティブに戻ったことが示され、ステップＳ１１に進む。
【００５１】
一方、図９に示すように、ユーザが指またはタッチペン２０等によって、「聞く」アイコンＩ１ではなく（Ｓ５：Ｎｏ）、「聞き比べ」アイコンＩ２をタッチする（Ｓ７：Ｙｅｓ）と、「聞き比べ」アイコンＩ２が、明暗反転等により表示されることによって、アクティブになったことが示されるとともに、指定されている辞書から、検索語“ａｐｐｌｙ”に対応する音声データ（「アプライ」）が抽出され、抽出された音声データが、スピーカ１８ａから出力される（Ｓ８）。
【００５２】
さらに、説明情報ｄ１の下側に、音声出力案内情報ｄ２が表示され、ユーザは、音声を録音するように促される。この音声出力案内情報ｄ２にしたがって、ユーザが、マイク１８ｂに向かって、音声（「アプライ」）を発声すると、発声された音声データが、ユーザ音声登録エリア１２ｇに登録される（Ｓ９）。そして、登録された音声データが、スピーカ１８ａから出力される（Ｓ１０）。これによって、ユーザは、辞書が有する正しい音声データと、自分が発声した音声データとを聞き比べることができる。このようにして聞き比べが終了すると、「聞き比べ」アイコンＩ２の明暗反転等が元に戻り、非アクティブに戻ったことが示され、ステップＳ１１に進む。
【００５３】
なお、ステップＳ７において、聞き比べしない場合（Ｓ７：Ｎｏ）には、「読み上げ」アイコンＩ３を指定することによって、説明情報ｄ１をスピーカ１８ａから読み上げさせたり、「例文」アイコンＩ４を指定することによって、例文の音声データをスピーカ１８ａから出力させるような、他の処理（詳細は説明せず）に移行する。
【００５４】
ステップＳ１１において、音声学習を終了する（Ｓ１１：Ｙｅｓ）のであれば、処理はステップＳ２０に進み、そうでない場合（Ｓ１１：Ｎｏ）には、ステップＳ５に戻る。
【００５５】
図５のフローチャートに示すステップＳ２０では、ステップＳ１において検索された検索語が、単語登録エリア１２ｅに既に登録済みであるか否かが判定される。これは、ステップＳ１において検索された検索語が、単語登録エリア１２ｅに登録されている単語と照合されることによってなされる。そして、登録済みではない場合（Ｓ２０：Ｙｅｓ）には、ステップＳ１において検索された検索語が、単語登録エリア１２ｅに登録され（Ｓ２１）、ステップＳ２２に進む。一方、登録済みである場合（Ｓ２０：Ｎｏ）には、ステップＳ１に戻る。
【００５６】
ステップＳ２２では、単語登録エリア１２ｅに登録されている単語を含む音声付例文が、例文音声記憶エリア１２ｄに記憶されているすべての音声付例文が順次照合される。この照合処理によって、単語登録エリア１２ｅに登録された単語のみで構成された音声付例文が、例文音声記憶エリア１２ｄから抽出される（Ｓ２３：Ｙｅｓ）。そして、抽出された音声付例文が、音声付例文登録エリア１２ｆに存在しない場合（Ｓ２４：Ｙｅｓ）には、ステップＳ２３において抽出された音声付例文が、音声付例文登録エリア１２ｆに登録され、カウントアップされる（Ｓ２５）。
【００５７】
そして、例文音声記憶エリア１２ｄに記憶されているすべての音声付例文の照合が完了し、例文音声記憶エリア１２ｄに、もはや照合されるべき音声付例文が無くなった場合（Ｓ２６：Ｙｅｓ）には、メイン画面１６上に、ステップＳ２５でなされたカウントアップ数が表示され（Ｓ２７）、ステップＳ１に戻る。照合されるべき音声付例文がまだ存在する場合（Ｓ２６：Ｎｏ）には、ステップＳ２２に戻る。
【００５８】
図１０は、ステップＳ２７において、メイン画面１６上に、カウントアップ数表示エリアｄ３，ｄ４が、出典元毎に表示された例を示す図である。この例では、ステップＳ２７において、例文音声記憶エリア１２ｄから音声付例文登録エリア１２ｆに、英会話集に由来する３件の音声付例文と、辞書に由来する６件の音声付例文とが登録されたことが、カウントアップ数表示エリアｄ３およびカウントアップ数表示エリアｄ４によってそれぞれ示される。
【００５９】
一方、ステップＳ２２でなされた照合の結果、単語登録エリア１２ｅに登録された単語のみで構成された音声付例文が抽出されなかった場合（Ｓ２３：Ｎｏ）や、ステップＳ２３において音声付例文が抽出されたものの、抽出された音声付例文が、既に音声付例文登録エリア１２ｆに登録されている場合（Ｓ２４：Ｎｏ）には、ステップＳ１に戻る。
【００６０】
本実施形態に係る音声学習装置１０によれば、前述したように、単語登録エリア１２ｅに登録された単語のみで構成された音声付例文を抽出することができる。したがって、ユーザは、自分が学習した単語のみが使われている音声付例文、すなわち、より学習必要性の高い音声付例文のみを効率良く蓄積することが可能となる。
【００６１】
一方、ステップＳ１で辞書検索しない場合（Ｓ１：Ｎｏ）には、ユーザは、登録音声例文一覧処理（Ｓ３１〜Ｓ３９）を行うか否かを選択することができる。
【００６２】
登録音声例文一覧処理（Ｓ３１〜Ｓ３９）の一例を、図６のフローチャートと、図１１の表示画面例とを用いて説明する。
【００６３】
ステップＳ３１において登録音声例文一覧処理が選択される（Ｓ３１：Ｙｅｓ）と、ステップＳ２５において音声付例文登録エリア１２ｆに登録された音声付例文が、図１１に例示されているように、メイン画面１６に確保された例文表示エリアｄ７から一覧表示される（Ｓ３２）。また、機能選択アイコンＩとして、「聞く」アイコンＩ１に加えて、表示画面をスクロールするための「↑」アイコンＩ５および「↓」アイコンＩ６が表示される。
【００６４】
例文表示エリアｄ７ではさらに、各音声付例文において、直近に学習された単語である“ａｐｐｌｙ”が識別されて明示される。また、各音声付例文の出典元（例えば、ジーニア○英和大辞典、ビジネ○英会話集）を示す略称が、メイン画面１６に確保された出典元表示欄ｄ５から表示される（Ｓ３３）。
【００６５】
さらには、例文表示エリアｄ７から一覧表示された音声付例文のうち、変化形単語と音声変化単語が含まれる音声付例文については、対応する変化形を示すアイコンが、メイン画面１６に確保された変化形等表示欄ｄ６から表示される（Ｓ３４）。図１１の変化形等表示欄ｄ６に表示されるアイコンのうち、［変］は、変化形が使用されていること（例えば、“ａｐｐｌｙ”の場合、“ａｐｐｌｙｉｎｇ”や“ａｐｐｌｉｅｄ”のように、原形ではないこと）を意味し、［連］は、例文を音声出力する場合に、音がつながる単語があることを意味し、［消］は、例文を音声出力する場合に、音が消える単語があることを意味し、［変］は、例文を音声出力する場合に、音が変化する単語があることを意味する。このような変化形単語や音声変化単語の認識は、波形分析等のような公知技術によってなされるので、ここでは、その詳細な説明は省略する。
【００６６】
例文表示エリアｄ７では、一覧表示された音声付例文のうち、先頭の音声付例文（図１１の場合、“Ｗｈｙ  ｄｏｎ’ｔ  ｙｏｕ  ａｐｐｌｙ？”）が対象とされ（Ｓ３５）、メイン画面１６の下部側に確保されたプレビュー・エリアｄ８から、意味、例文、読み等が表示される（Ｓ３６）。なお、プレビュー・エリアｄ８に表示された音声付例文に、音声変化単語が含まれている場合には、該当部分に下線が付されて表示される。図１１では、プレビュー・エリアｄ８に表示された音声付例文である“Ｗｈｙ  ｄｏｎ’ｔ  ｙｏｕ  ａｐｐｌｙ？”のうち、音声変化単語が含まれている“ｄｏｎ’ｔ  ｙｏｕ”に下線が付されている例を示している。
【００６７】
この状態で、「聞く」アイコンＩ１がタッチされると、プレビュー・エリアｄ８に表示されている音声付例文の音声データが、スピーカ１８ａから出力される（Ｓ３７：Ｙｅｓ→Ｓ３８）。
【００６８】
このように、「聞く」アイコンＩ１がタッチされ、例文の音声がスピーカ１８ａから出力された場合（Ｓ３７：Ｙｅｓ→Ｓ３８）であっても、あるいは、「聞く」アイコンＩ１がタッチされない場合（Ｓ３７：Ｎｏ）であっても、いずれにせよ、その後の処理は、ステップＳ３９に進む。
【００６９】
ステップＳ３９では、例文表示エリアｄ７に表示された音声付例文のうち、別の音声付例文を選択するか否かの選択がなされる。別の音声付例文を選択する場合（Ｓ３９：Ｙｅｓ）には、図１１に示すように、例文表示エリアｄ７に一覧表示された音声付例文のうち、何れかの音声付例文を指またはタッチペン２０等でタッチすることによって、別の音声付例文が指定され、ステップＳ３６に戻る。なお、図１１では、例文表示エリアｄ７において、［Ａ］乃至［Ｋ］に示す１１個の音声付例文しか表示されていないが、これは一度に例文表示エリアｄ７から音声付例文が１１個表示されている単なる例であり、この数に制限されるものではない。なお、例文表示エリアｄ７に一度に表示しきれない音声付例文がある場合には、「↑」アイコンＩ５や「↓」アイコンＩ６をタッチし、画面をスクロールすることによって、所望の音声付例文を例文表示エリアｄ７から表示できるようになっている。
【００７０】
一方、これ以上別の音声付例文を選択せず、登録音声例文一覧処理を終了する場合（Ｓ３９：Ｎｏ）には、図２に示された［戻る／リスト］キー１５ｄを押圧し、辞書検索処理Ｓ１に戻ることによって、登録音声例文一覧処理Ｓ３１を終了する（Ｓ４０）。
【００７１】
一方、ステップＳ３１において登録音声例文一覧処理が選択されない（Ｓ３１：Ｎｏ）場合には、ユーザは、学習単語一覧処理（Ｓ４１〜Ｓ４９）を行うか否かを選択することができる。
【００７２】
本実施形態に係る音声学習装置によれば、前述したように、ユーザは、例文の音声学習をする場合、登録された音声付例文の中から、音声出力したい音声付例文を自在に選択することができる。
【００７３】
次に、学習単語一覧処理（Ｓ４１〜Ｓ４９）の一例を、図７および図８のフローチャートと、図１２乃至１４の表示画面例とを用いて説明する。
【００７４】
ステップＳ４１において学習単語一覧処理が選択される（Ｓ４１：Ｙｅｓ）と、図１２に例示されているように、単語登録エリア１２ｅに登録されている単語が、メイン画面１６に確保された登録単語表示エリアｄ９から一覧表示される（Ｓ４２）。
【００７５】
単語登録表示エリアｄ９にはさらに出典元表示欄ｄ９ａが確保されており、この出典元表示欄ｄ９ａにおいて、各単語毎に、出典元を示す略称（例えば、ジーニア○英和大辞典を示す「Ｇ大英和」）が表示される。
【００７６】
単語登録表示エリアｄ９にはさらにチェック欄ｄ９ｂが確保されている。図７および図８のフローチャートに示すような学習単語一覧処理では、単語登録エリア１２ｅに登録されている単語のうち、任意の数の単語がユーザによって選択され、選択対象としてチェック・オンされた単語のみから構成される音声付例文を検索する処理がなされる。チェック欄ｄ９ｂは、この処理のために必要なものであって、単語登録表示エリアｄ９に表示された単語のうち、ユーザが、選択対象としてチェック・オンした単語を明示するための欄である。デフォルト状態では、図１２に示すように、単語登録エリア１２ｅに登録されているすべての単語について、チェック欄ｄ９ｂに「レ」点が付されており、単語登録エリア１２ｅに登録されているすべての単語がチェック・オンされ、選択対象となっていることが明示されている。
【００７７】
また、メイン画面１６には、音声付例文表示エリアｄ１０も確保されており、チェック欄ｄ９ｂに「レ」点が付されている単語のみから構成される音声付例文が表示されている。
【００７８】
これに対して、ユーザは、何れかの単語のチェックを解除することができる。具体的には、単語登録表示エリアｄ９に表示された単語のうち、ユーザが、指またはタッチペン２０等を用いてタッチし、当該単語をアクティブにした状態で、さらに「チェック」アイコンＩ７をタッチすることにより、当該単語がチェック・オフされ、当該単語のチェック欄ｄ９ｂの「レ」点が外されることによってそれが明示される。
【００７９】
なお、一旦チェック・オフされ、チェック欄ｄ９ｂの「レ」点が外された単語であっても、ユーザが、指またはタッチペン２０等を用いてタッチし、当該単語をアクティブにした状態で、「チェック」アイコンＩ７をタッチすることにより、チェック・オンすることができ、チェック欄ｄ９ｂに「レ」点が付される。
【００８０】
なお、メイン画面１６には、機能選択アイコンＩとして、「チェック」アイコンＩ７、「↑」アイコンＩ５、および「↓」アイコンＩ６も確保されている。したがって、図１２において、登録単語表示エリアｄ９に表示されている単語が［Ａ］乃至［Ｍ］の１３個であるのは、単なる例であり、この数に制限されるものではない。なお、登録単語表示エリアｄ９に一度に表示しきれない単語がある場合には、「↑」アイコンＩ５や「↓」アイコンＩ６をタッチし、画面をスクロールすることによって、別の単語を表示し、表示された単語に対しても同様に、前述したチェック・オン／オフ操作をすることができる。また、音声付例文表示エリアｄ１０に表示される音声付例文に対しても、「↑」アイコンＩ５や「↓」アイコンＩ６をタッチし、画面をスクロールすることによって、別の音声付例文を表示できるようになっている。
【００８１】
このようなチェック・オン／オフ操作がなされた場合（Ｓ４３：Ｙｅｓ）には、ステップＳ４４に進み、チェック変更処理がなされた後、ステップＳ４２に戻る。このチェック変更処理は、図８のフローチャートを用いて後述する。
【００８２】
一方、チェック・オン／オフ操作がなされなかった場合（Ｓ４３：Ｎｏ）には、音声付例文表示エリアｄ１０に表示された音声付例文のうちの何れかが、ユーザによって、指またはタッチペン２０等でタッチされることによって、指定される（Ｓ４５）。
【００８３】
このようにして音声付例文が選択されると、図１３の表示画面例に示すように、メイン画面１６にプレビュー表示エリアｄ１１が確保され、この音声付例文に加えて、その訳文、読み、関連文、用法等が表示される（Ｓ４６）。なお、この音声付例文に、音声変化単語が含まれている場合には、該当部分に下線が付される。また、機能選択アイコンＩとして、各種のエディタ機能を実現するためのアイコン（例えば、ノート・アイコンＩ１０、検索アイコンＩ１１、マーカ・アイコンＩ１２、付箋アイコンＩ１３）や単語登録エリア１２ｅに登録された単語を呼び出すための単語帳アイコンＩ１４等が適宜設けられる。
【００８４】
プレビュー表示エリアｄ１１には、ステップＳ４５において“Ｐｌｅａｓｅ  ｃｏｎｓｉｄｅｒ  ｉｔ．”という音声付例文が指定され、それに応じて、プレビュー表示エリアｄ１１に、その訳文（よろしくお願いいたします）、読み（プリーズ  カンスィダー  イト）、関連文（Ｉ  ｈｏｐｅ  ｗｅ  ｃａｎ  ｇｉｖｅ  ｙｏｕ  ｇｏｏｄ  ｎｅｗｓ．）、用法等が表示され、さらに、音声付訳文（Ｐｌｅａｓｅ  ｃｏｎｓｉｄｅｒ  ｉｔ．）における音声変化単語（ｃｏｎｓｉｄｅｒ  ｉｔ）に下線が付されて表示された例を示している。
【００８５】
プレビュー表示エリアｄ１１には、音声出力アイコンＩ９も設けられている。ステップＳ４６において表示された音声付例文の音声出力をユーザが所望する場合（Ｓ４７：Ｙｅｓ）、ユーザは、指またはタッチペン２０等によって、音声出力アイコンＩ９をタッチする。これによって、プレビュー表示エリアｄ１１に表示されている音声付例文の音声データが、スピーカ１８ａから出力され（Ｓ４８）、その後、ステップＳ４９に進む。
【００８６】
一方、ステップＳ４６において表示された音声付例文の音声出力をユーザが所望しない場合（Ｓ４７：Ｎｏ）には、ステップＳ４９にダイレクトに進む。
【００８７】
ステップＳ４９では、学習単語一覧処理を継続するか否かの決定がなされる。この処理を終了する場合（Ｓ４９：Ｙｅｓ）には、ステップＳ１に戻り、継続する場合（Ｓ４９：Ｎｏ）には、ステップＳ４５に戻る。
【００８８】
一方、ステップＳ４１において、学習単語一覧処理を所望しない場合（Ｓ４１：Ｎｏ）、あるいは、ステップＳ４５において、何れの例文もユーザによって指定されない場合（Ｓ４５：Ｎｏ）には、例えば、本実施形態に係る音声学習装置１０を、通常の電子辞書として用いるような他の処理（詳細は説明せず）に移行する。
【００８９】
次に、ステップＳ４４においてなされるチェック変更処理について、図８のフローチャートを用いて説明する。
【００９０】
まず、音声付例文登録エリア１２ｆに登録されているすべての音声付例文が対象とされ（Ｓ４４ａ）、次に、ステップＳ４３においてチェック・オフされた単語が存在するのであれば（Ｓ４４ｂ：Ｙｅｓ）、チェック・オフされた単語を含む音声付例文が、音声付例文表示エリアｄ１０から表示されなくなる（Ｓ４４ｃ）。
【００９１】
ステップＳ４４ｂ〜Ｓ４４ｃの処理は、単語１つずつなされる。したがって、ステップＳ４３においてチェック・オフ操作がなされた単語が複数あるのであれば、これらすべての単語に対して、ステップＳ４４ｂ〜Ｓ４４ｃの処理が繰り返されるように、ステップＳ４４ｄにおいて、ステップＳ４４ｂ〜Ｓ４４ｃの処理がすべての単語に対してなされたかが判定される。
【００９２】
そして、ステップＳ４３においてチェック・オフされたすべての単語について、ステップＳ４４ｂ〜Ｓ４４ｃの処理がなされたと判定されると（Ｓ４４ｄ：Ｙｅｓ→Ｓ４４ｅ）、図７に示すステップＳ４４の処理に戻る。
【００９３】
図１４は、このようなチェック変更処理がなされた後の、メイン画面１６の表示例である。ステップＳ４３において、例えば“ｂｒａｋｅ”と“ｗｈｙ”という単語に対してチェック・オフ操作がなされた結果、図１４では、“ｂｒａｋｅ”と“ｗｈｙ”とのチェック欄ｄ９ｂの「レ」点が外されている。また、これに応じて、ステップＳ４４ｃにおいて、“ｂｒａｋｅ”と“ｗｈｙ”とが含まれる音声付例文が非表示とされた結果、音声付例文表示エリアｄ１０には、図１２に示される例から、“ｂｒａｋｅ”または“ｗｈｙ”を含む音声付例文以外の音声付例文のみが残されている。
【００９４】
このように、本実施形態に係る音声学習装置１０を用いることによって、ユーザは、単語のチェック・オン／オフ操作をすることにより、音声出力したい音声付例文を自在に選択することができる。
【００９５】
以上説明したように、本実施形態に係る音声学習装置１０は、単語の音声と、その単語を含む例文の音声とを連携してユーザに提供することができる。これによって、ユーザは、単語の音声と、その単語を含む例文の音声とを効率的に学習することが可能となる。
【００９６】
なお、本実施形態に係る音声学習装置１０による各処理の手法およびデータベース、すなわち、図４〜図８のフローチャートに示す処理（その１〜その５）等の各手法、および辞書データベース１２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部の記録媒体１３に格納して配布することができる。そして、メイン画面１６あるいはそれに加えてサブ画面１７を備えた電子機器のコンピュータは、この外部の記録媒体１３に記憶されたプログラムをメモリ１２に読み込み、この読み込んだプログラムによって動作が制御されることにより、本実施形態において図４〜図８のフローチャートを用いて説明した処理を実現することができる。
【００９７】
また、これら各処理を実現するためのプログラムのデータは、プログラムコードの形態として通信ネットワーク上を伝送させることができ、このプログラムデータを、通信ネットワークに接続されたメイン画面１６あるいはそれに加えてサブ画面１７を備えた電子機器のコンピュータに通信によって取り込むことで、前述した各処理を実現することもできる。
（第２の実施の形態）
本発明の第２の実施形態に係る音声学習装置について説明する。
【００９８】
なお、本実施形態の説明では、第１の実施形態と異なる構成のみを説明し、重複説明を避ける。よって、以下の記載では、第１の実施形態と同一要素については、同一符号を用いる。
【００９９】
第１の実施形態では、音声学習装置１０を、電子辞書装置１０Ｄ、タブレット端末１０Ｔ、携帯電話、電子ブック、携帯ゲーム機等のいわゆる単体の電子機器にて実現する場合として説明した。
【０１００】
これに対し、第２の実施形態に係る音声学習装置３０は、図１５に示されるように、インターネットのような通信ネットワーク３２を介して接続された端末３４と外部サーバ３６とから構成される。
【０１０１】
なお、このようなネットワーク構成は、イーサネット（登録商標）等のＬＡＮ、あるいは公衆回線や専用回線を介して複数のＬＡＮが接続されるＷＡＮ等からなる。ＬＡＮの場合には、必要に応じてルータを介した多数のサブネットから構成される。また、ＷＡＮの場合には、公衆回線に接続するためのファイアウォール等を適宜備えているが、ここではその図示及び詳細説明を省略する。
【０１０２】
端末３４は、互いに通信バス１９を介して接続されたＣＰＵ１１、記録媒体読取部１４、キー入力部１５、メイン画面１６、サブ画面１７、スピーカ１８ａ、マイク１８ｂ、および通信部３８等を備えてなる。すなわち端末３４は、丁度、図１に示される音声学習装置１０からメモリ１２を削除し、代わりに、インターネット等の通信ネットワーク３２と通信するための通信部３８を備えた構成となっている。
【０１０３】
このような端末３４は、例えば、パソコン、タブレット端末、携帯電話、電子ブック、携帯ゲーム機等のいわゆる単体の電子機器によって実現されうる。
【０１０４】
一方、外部サーバ３６は、図１に示されるメモリ１２を備えている。
【０１０５】
そして、端末３４が、通信部３８によって、通信ネットワーク３２を介して、外部サーバ３６にアクセスし、外部サーバ３６に備えられたメモリ１２に格納された音声学習処理制御プログラム１２ａを起動し、音声学習処理制御プログラム１２ａによる制御に応じて辞書データベース１２ｂや、種々の記憶（登録）エリア１２ｃ〜ｇとの書込／読出動作を行うことによって、第１の実施形態に係る音声学習装置１０と同等の機能を、端末３４のユーザに提供する。
【０１０６】
このような構成によれば、ユーザは、専用の装置を購入することもなく、ユーザの使い慣れている通信端末で、第１の実施形態に係る音声学習装置１０の効果を得ることができるので、ユーザの利便性を高めることができる。また、外部サーバ３６に音声学習処理制御プログラム１２ａや辞書データベース１２ｂを備えることによって、音声学習処理制御プログラム１２ａの更新（バージョンアップ）や、新たな辞書の導入があった場合であっても、ユーザは、端末を買い替えることも、新たなアプリケーションや辞書をインストールすることもなく、直ちにその恩恵を享受することができる。
【０１０７】
本願発明は、これら各実施形態に限定されるものではなく、実施段階ではその要旨を逸脱しない範囲で種々に変形することが可能である。さらに、各実施形態には種々の段階の発明が含まれており、開示される複数の構成要件における適宜な組合せにより種々の発明が抽出され得る。例えば、各実施形態に示される全構成要件から幾つかの構成要件が削除されたり、いくつかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０８】
例えば、図示していないが、第２の実施形態において、メモリ１２に含まれる一部を、外部サーバ３６ではなく、適宜、端末３４に設けるようにしても良い。例えば、外部サーバ３６のメモリ１２には、音声学習処理制御プログラム１２ａと辞書データベース１２ｂのみを備え、その他の記憶（登録）エリア１２ｃ〜ｇは、端末３４のメモリ（図示せず）に備えるようにすることも、本願発明の一部であると解される。
【０１０９】
以下に、本願出願の当初の特許請求の範囲に記載された発明を付記する。
［発明１］
例文テキストを複数記憶する例文テキスト記憶手段と、
前記例文テキスト記憶手段に記憶された各例文テキストを音声付例文として音声データを対応づけて記憶する例文音声記憶手段と、
ユーザ操作によって指定された単語の音声データを音声出力させる単語音声出力手段と、
前記単語音声出力手段によって音声出力された単語を登録する単語登録手段と、
前記単語登録手段に登録された単語で構成された音声付例文を前記例文音声記憶手段から抽出して、抽出された音声付例文を登録する音声付例文登録手段と、
前記音声付例文登録手段によって登録された音声付例文のうちの何れかの音声データを前記例文音声記憶手段から読み出して音声出力する例文音声出力手段と、
を備える音声学習装置。
［発明２］
前記単語登録手段に単語が登録されたことに応じて、前記音声付例文登録手段に登録された音声付例文を一覧表示させる第１の例文表示手段、をさらに備える発明１に記載の音声学習装置。
［発明３］
前記単語登録手段に登録された単語を一覧表示させる単語表示手段と、
前記単語表示手段によって一覧表示された単語のうち、ユーザ指定によって選択された単語で構成される音声付例文を、前記例文音声記憶手段から抽出して一覧表示させる第２の例文表示手段と、
をさらに備える発明１または２に記載の音声学習装置。
［発明４］
前記単語音声出力手段によって出力された音声に対して、前記例文音声出力手段によって出力された音声が変化する単語が存在する場合、対応する音声付例文を、当該単語が他の単語に対して識別可能な状態で表示させる第３の例文表示手段、をさらに備える発明１乃至３のうちの何れか１項に記載の音声学習装置。
［発明５］
前記単語登録手段には、予め登録された単語が存在する、発明１乃至４のうちの何れか１項に記載の音声学習装置。
［発明６］
単語の音声データと、複数の単語で構成された例文テキストと、前記例文テキストに音声データが対応付けられた音声付例文とを格納した外部サーバと、必要なデータの授受を行うことによって、音声データを出力する音声学習装置であって、
ユーザ操作によって指定された単語の音声データを、前記外部サーバから取得して、音声出力させる単語音声出力手段と、
前記単語音声出力手段によって音声出力された単語を、前記外部サーバへ登録する単語登録手段と、
前記外部サーバに登録された単語で構成された音声付例文を、前記外部サーバから抽出して、抽出された音声付例文を、前記外部サーバへ登録する音声付例文登録手段と、
前記外部サーバに登録された音声付例文のうちの何れかの音声データを、前記外部サーバから読み出して音声出力する例文音声出力手段と、
を備える音声学習装置。
［発明７］
電子機器のコンピュータを制御するためのプログラムであって、
前記コンピュータを、
例文テキストを複数記憶する例文テキスト記憶手段と、
前記例文テキスト記憶手段に記憶された各例文テキストを音声付例文として音声データを対応づけて記憶する例文音声記憶手段と、
ユーザ操作によって指定された単語の音声データを音声出力させる単語音声出力手段と、
前記単語音声出力手段によって音声出力された単語を登録する単語登録手段と、
前記単語登録手段に登録された単語で構成された音声付例文を前記例文音声記憶手段から抽出して、抽出された音声付例文を登録する音声付例文登録手段と、
前記音声付例文登録手段によって登録された音声付例文のうちの何れかの音声データを前記例文音声記憶手段から読み出して音声出力する例文音声出力手段と、
として機能させるためのプログラム。
［発明８］
単語の音声データと、複数の単語で構成された例文テキストと、前記例文テキストに音声データが対応付けられた音声付例文とを格納した外部サーバと、必要なデータの授受を行うことによって、音声データを出力する電子機器のコンピュータを制御するためのプログラムであって、
前記コンピュータを、
ユーザ操作によって指定された単語の音声データを、前記外部サーバから取得して、音声出力させる単語音声出力手段と、
前記単語音声出力手段によって音声出力された単語を、前記外部サーバへ登録する単語登録手段と、
前記外部サーバに登録された単語で構成された音声付例文を、前記外部サーバから抽出して、抽出された音声付例文を、前記外部サーバへ登録する音声付例文登録手段と、
前記外部サーバに登録された音声付例文のうちの何れかの音声データを、前記外部サーバから読み出して音声出力する例文音声出力手段と、
として機能させるためのプログラム。
【符号の説明】
【０１１０】
１０  …音声学習装置
１０Ｄ  …電子辞書装置
１０Ｔ  …タブレット端末
１２  …メモリ
１２ａ  …音声学習処理制御プログラム
１２ｂ  …辞書データベース
１２ｃ  …例文テキスト記憶エリア
１２ｄ  …例文音声記憶エリア
１２ｅ  …単語登録エリア
１２ｆ  …音声付例文登録エリア
１２ｇ  …ユーザ音声登録エリア
１３  …記録媒体
１４  …記録媒体読取部
１５  …キー入力部
１５ａ  …文字入力キー
１５ｂ  …辞書指定キー
１５ｃ  …［訳／決定］キー
１５ｄ  …［戻る／リスト］キー
１６  …メイン画面
１７  …サブ画面
１８ａ  …スピーカ
１８ｂ  …マイク
１９  …通信バス
２０  …タッチペン
３０  …音声学習装置
３２  …通信ネットワーク
３４  …端末
３６  …外部サーバ
３８  …通信部
【図１】
0006535998.tif 000002
【図２】
0006535998.tif 000003
【図３】
0006535998.tif 000004
【図４】
0006535998.tif 000005
【図５】
0006535998.tif 000006
【図６】
0006535998.tif 000007
【図７】
0006535998.tif 000008
【図８】
0006535998.tif 000009
【図９】
0006535998.tif 000010
【図１０】
0006535998.tif 000011
【図１１】
0006535998.tif 000012
【図１２】
0006535998.tif 000013
【図１３】
0006535998.tif 000014
【図１４】
0006535998.tif 000015
【図１５】
0006535998.tif 000016